(57)【要約】【課題】ＬＰＧを液相で噴射してエンジンに供給する燃料供給システムについて、コストアップを最小限としながらアイシングの発生を回避できるようにする。【解決手段】先端に燃料噴射口３１を有して吸気マニホルド２０の内部空間に突出した状態で挿入される挿入部３０Ａを備えており、この挿入部３０Ａをインジェクタ取付孔２０ａの外側から挿入して吸気マニホルド２０に取付けられ、ＬＰＧを液相のままエンジンの吸気通路２に噴射するＬＰＧインジェクタ３Ａにおいて、吸気マニホルド２０に取り付けることにより、挿入部３０Ａの先端がインジェクタ取付孔２０ａ上流側の吸気通路２内周面を下流側に延長した面を越えて吸気通路２の中心方向に所定量以上突出することを特徴とするものとした。【選択図】図１
2010138828.tif 000002
【特許請求の範囲】
【請求項１】
先端に形成した燃料噴射口を吸気マニホルドの内部空間に突出した状態で挿入される挿入部を備えており、この挿入部をインジェクタ取付孔の外側から挿入して吸気マニホルドに取付けられ、ＬＰＧを液相のままエンジンの吸気通路に噴射するＬＰＧインジェクタにおいて、前記吸気マニホルドに取り付けられたときに、前記挿入部の先端が、前記インジェクタ取付孔の上流側における前記吸気通路内周面を下流側に延長した面を越えて前記吸気通路の中心方向に所定量以上突出することを特徴としたＬＰＧインジェクタ。
【請求項２】
前記吸気マニホルドに取り付けることにより、前記燃料噴射口がインジェクタ軸線と前記吸気通路内周面との交点から２０ｍｍ以内に位置することを特徴とする請求項１に記載したＬＰＧインジェクタ。
【請求項３】
燃料取込み方式がトップフィード型であることを特徴とする請求項１または２に記載したＬＰＧインジェクタ。
【請求項４】
請求項１，２または３に記載したＬＰＧインジェクタを、前記吸気マニホルドのインジェクタ取付孔に取付けてなるものであり、前記ＬＰＧインジェクタの挿入部先端が、前記インジェクタ取付上流側の前記吸気通路内周面を下流側に延長した面を越えて前記吸気通路の中心方向に所定量以上突出していることを特徴としたＬＰＧ噴射装置。
【発明の詳細な説明】
【技術分野】
【０００１】
本発明は、ＬＰＧインジェクタ及びＬＰＧ噴射装置に関し、殊に、液相のＬＰＧをエンジンの吸気通路内に噴射する燃料供給システムにおいて、アイシングの発生を回避する機能を有したＬＰＧインジェクタ及びこのＬＰＧインジェクタを備えてアイシングの発生を回避するＬＰＧ噴射装置に関する。
【背景技術】
【０００２】
従来より、図３に示すようにＬＰＧインジェクタ３Ｂを備えＬＰＧを液相のまま吸気通路（吸入ポート）２内に噴射してエンジンに供給する形式のＬＰＧ噴射装置１Ｂが広く知られている。このような燃料供給方式では、噴射されたＬＰＧの圧力が急激に大気圧以下（＝エンジン吸入負圧）まで低下して液相から気相に変化するため、噴射されたＬＰＧは相変化に伴い周辺と熱交換を行うことになる。
【０００３】
その場合、吸気通路２内壁のＬＰＧが付着した部分やその周辺で急激な温度低下を起こして、空気中の水分を凍結させながら吸気通路内に氷結や氷柱を形成するいわゆるアイシング現象を生じることがある。そして、このアイシングが発生することにより、吸気通路２内に堆積した氷結が空気抵抗となったり、脱落した氷結がエンジンのシリンダ内に流入したりして、適切な空燃比制御に対する妨げとなりやすい。
【０００４】
このような燃料の相変化に伴うアイシングの問題に対し、インジェクタ先端にエンジンからの熱伝導を利用した熱交換ノズルを設けることにより、アイシングの発生を回避しようとする技術が知られており、また、特開２００３−２８６９１３号公報に記載され図２に示すもののように、吸気マニホルド２１とエンジン側取付け部との間に、吸気通路２を取り囲むように冷却水通路４０を設けたガスケット４を介装することにより、インジェクタ３Ｂの近辺と吸気マニホルド２１のこれに近接する部分を加温して、アイシングの発生を回避しようとする技術も知られている。
【０００５】
このように、エンジン由来の熱を利用してインジェクタ付近を加温することにより、アイシングの発生を回避しやすいものとすることができる。しかしながら、上述した両技術においては、エンジンの熱をインジェクタ付近まで伝導または送達するための機構が必要となり、そのための専用部品を新たに追加する費用を要してコストアップを招くことになる。
【特許文献１】特開２００３−２８６９１３号公報
【発明の開示】
【発明が解決しようとする課題】
【０００６】
本発明は、上記のような問題点を解決しようとするものであり、ＬＰＧを液相で噴射してエンジンに供給する燃料供給システムについて、コストアップを最小限としながらアイシングの発生を回避できるようにすることを課題とする。
【課題を解決するための手段】
【０００７】
そこで、本発明は、先端に形成した燃料噴射口を吸気マニホルドの内部空間に突出した状態で挿入される挿入部を備えており、この挿入部をインジェクタ取付孔の外側から挿入して吸気マニホルドに取付けられ、ＬＰＧを液相のままエンジンの吸気通路に噴射するＬＰＧインジェクタにおいて、前記吸気マニホルドに取り付けられたときに、前記挿入部の先端が、前記インジェクタ取付孔の上流側における前記吸気通路内周面を下流側に延長した面を越えて前記吸気通路の中心方向に所定量以上突出させることとした。
【０００８】
図３に示したように、従来のＬＰＧインジェクタ３Ｂはその挿入部３０Ｂの先端が、インジェクタ取付孔２１ａ上流側の吸気通路２内周面を下流側に延長した一点鎖線で示す面よりも引っ込んだ位置となることから、噴射したＬＰＧの一部しか吸気通路の中心付近の吸入空気流の速い部分に当たらないために、ＬＰＧが吸気通路壁面に付着してアイシングを生じやすかった。これに対し、前述の本発明のように、インジェクタの挿入部先端が吸気通路内に所定量以上突出して燃料噴射口が吸気通路内の吸入空気流が比較的速い部分に近接する位置になるものとしたことにより、簡易な構成でも噴射したＬＰＧが吸気通路内壁に付着して氷結を招くことを大幅に減少させることになり、アイシングの発生を回避しやすいものとした。
【０００９】
また、この場合、吸気マニホルドに取り付けることにより、燃料噴射口がインジェクタ軸線と吸気通路内周面との交点から２０ｍｍ以内の位置になるものとすれば、吸入空気流の速い部分に向かって確実にＬＰＧを噴射することができるようになるため、アイシングの発生を一層回避しやすいものとなる。
【００１０】
さらに、上述したＬＰＧインジェクタは、燃料取込み方式がトップフィード型であることを特徴としたものとすれば、上述した構成及び作用を簡易且つ低コストで実現することができる。
【００１１】
さらにまた、上述したＬＰＧインジェクタを、吸気マニホルドのインジェクタ取付孔に取付けてなるものであって、ＬＰＧインジェクタの挿入部先端がインジェクタ取付孔上流側の吸気通路内周面を下流側に延長した面を越えて吸気通路の中心方向に所定量以上突出していることを特徴としたＬＰＧ噴射装置とすれば、新たな部品の追加を要することなく、アイシングの発生を回避しながら燃料を供給することができる。
【発明の効果】
【００１２】
インジェクタの挿入部先端を吸気通路内に所定量以上突出させただけの簡易な構成の本発明によると、コストアップを最小限としながらアイシングの発生を回避することができるものである。
【発明を実施するための最良の形態】
【００１３】
以下に、図面を参照しながら本発明を実施するための最良の形態を説明する。
【００１４】
図１は、本実施の形態のＬＰＧ噴射装置１Ａの部分縦断面図を示すものであり、ＬＰＧ噴射装置１Ａは、図示しないＬＰＧエンジンの吸気通路（吸気ポート）２内にＬＰＧを液相（液体）のまま噴射して供給するためのものであり、吸気通路２を構成する吸気マニホルド２０のインジェクタ取付孔２０ａの外側から、先端側の挿入部３０Ａを吸気通路２に向かって挿通した状態でインジェクタ３Ａが取付けられる。
【００１５】
そして、本実施の形態のＬＰＧ噴射装置１Ａにおいては、インジェクタ取付孔２０ａに取り付けられたインジェクタ３Ａの、吸気通路２内に挿入されて内側空間で突出した円柱状の挿入部３０Ａの先端が、インジェクタ取付孔２０ａよりも上流側の吸気通路２の内周面を下流側に延長した一点鎖線で示す面を越えて、吸気通路２の中心に向かって所定量以上突出した状態となっている。
【００１６】
尚、挿入部３０Ａの突出量については、本願発明者らによる実験結果から、通常のＬＰＧエンジンにおいて想定される一般的な内径の吸気通路においては、挿入部３０Ａの先端面中央に設けた燃料噴射口（燃料噴射孔の開口部）３１の位置が、インジェクタ軸線が対向する吸気通路２内周面に交わった交点から、２０ｍｍ以内の位置になる突出量とすることにより、アイシングの回避機能が充分に発揮されることが検証されたため、本実施の形態においてもこれと同様の突出量としている。
【００１７】
即ち、図３に示したＬＰＧ噴射装置１Ｂのように、インジェクタ３Ｂの挿入部３０Ｂの長さが短く、一点鎖線で示す上流側の吸気通路２内周面を下流側に延長した面よりも先端が引っ込んだ状態となっている従来例においては、噴射したＬＰＧが吸入空気流の流速の速い部分（略中心部）に対して一部しか当たらないため、吸気通路２内に噴射したＬＰＧの多くが内壁に付着し、氷結を招いてアイシングの発生に繋がるという問題があった。
【００１８】
これに対し、本実施の形態のＬＰＧ噴射装置１Ａでは、インジェクタ３Ａの挿入部３０Ａを図のように従来例よりも長くしたことにより、その先端、即ち先端面に開口した燃料噴射口３１の位置が、吸気通路２の中心部付近の吸入空気流が速くなる部分に近接した位置とした。
【００１９】
そのため、噴射したＬＰＧの多くが比較的速い吸入空気流に乗って下流側に流れるとともに、多量の空気の存在により気化しやすくなることに加え気相になる際の冷却作用も軽減されることになるため、ＬＰＧが吸気通路２の内壁に付着して氷結を生じさせる現象が最小限に抑えられて、アイシングの発生を回避しやすくなった。
【００２０】
また、本実施の形態においては、図２に示したアイシング対策を講じた従来例等とは異なり、インジェクタ３Ａの挿入部３０Ａの長さを所定量延長しただけの簡易な変更のみで実施できるものであるため、エンジンの熱を伝導・送達する等の目的で新たな専用部品を追加することを不要として、コストアップを殆ど伴わずに実施可能である。
【００２１】
さらに、このＬＰＧ噴射装置１Ａでは、インジェクタ３Ａの燃料取込方式にトップフィードタイプを採用している。これはボトムフィードタイプ等、他の方式によると挿入部３０Ａ及びこれを挿通するためのインジェクタ取付孔２０ａの構成が複雑になりやすく、従来のシステムを利用した場合の実施を容易にすることができず、コストアップに繋がりやすくなるからである。
【００２２】
さらにまた、本実施の形態においては、ガソリンエンジンをＬＰＧエンジンに改造する場合において、本来のガソリンインジェクタが取り付けられていたインジェクタ取付孔をそのまま使用することを想定しており、上述した簡易な構成がその実施を容易なものとするとともに、改造の手間を最小限に抑えることを可能としている。
【００２３】
以上、述べたように、ＬＰＧを液相で噴射する燃料供給システムについて、本発明により、コストアップを最小限としながらアイシングの発生を有効に回避できるようになった。
【図面の簡単な説明】
【００２４】
【図１】本発明の実施の形態を示す部分縦断面図。
【図２】従来例を示す部分縦断面図。
【図３】従来例を示す部分縦断面図。
【符号の説明】
【００２５】
１Ａ  ＬＰＧ噴射装置、２  吸気通路、３Ａ  ＬＰＧインジェクタ、２０  吸気マニホルド、２０ａ  インジェクタ取付孔、３１  燃料噴射口
【図１】
2010138828.tif 000003
【図２】
2010138828.tif 000004
【図３】
2010138828.tif 000005